(57)【要約】【課題】      弱った小魚や抱卵などで本来の動きが出来なくなった魚に模したルア−を提供することである。【解決手段】  ルア−のルア−本体１は木材や合成樹脂で、頭部側の本体部材２と腹部側の本体部材３と尾部側の本体部材４に３分割されて形成され、本体部材２、３、４は夫々Ｕ字形に屈曲された上下２本２組の接続部とピン軸で可動状態で前後に接続形成されている。  頭部側の本体部材２では側面（体側）２ｃが上側で、側面（体側）２ｄと水の抵抗体１０が下側になって浮くように形成され、下側の側面（体側）２ｄに目１２が描かれると共に釣り針１５が止着されている。【選択図】        図２
2006006199.tif 000002
【特許請求の範囲】
【請求項１】
ルア−本体の側面に水の抵抗体を設けると共に、ルア−本体は、水の抵抗体を設けた側面が下方になるようにして水に浮くことを特徴とするルア−。
【請求項２】
ルア−本体は少なくとも水の抵抗体を設けた側面に目を有していることを特徴とする請求項１記載のルア−。
【請求項３】
ルア−本体は水の抵抗体を設けた側面に釣り針が取り付けられていることを特徴とする請求項１または２記載のルア−。
【請求項４】
ルア−本体は、分割した本体部材を接続部で可動状態で前後に接続して形成されていることを特徴とする請求項１から３記載のルア−。
【請求項５】
複数の本体部材の接続部は、水面に浮いた状態で左右に屈曲するように接続されていることを特徴とする請求項４記載のルア−。
【請求項６】
ルア−本体は、水の抵抗体を設けた側面を内側とする湾曲状に形成されていることを特徴とする請求項１から５記載のルア−。
【請求項７】
ルア−本体は、長手方向の中央側を上方にして水に浮くことを特徴とする請求項１から６記載のルア−。
【発明の詳細な説明】
【技術分野】
【０００１】
本発明は、魚釣りに用いるルア−に関する。
【背景技術】
【０００２】
従来からルア−は、魚等の生き物に似せた形状に形成されており、釣り人がルア−を操作してこれを生きた物に似せた動きをさせることで魚を誘っていた。
したがって、例えば小魚に似せた一般的なルア−では、水中で腹部が下方、背部が上方、となるように姿勢を取るよう形成され、更に、この姿勢のまま泳動するようにルア−の前端側下方（腹部の前方側）に水の抵抗体（通称：リップ）が設けられていた。
このようなルア−は、元気な小魚を模すためには都合がよいが、魚によっては、弱った小魚（または抱卵などで本来の動きが出来なくなった魚）を好んで食べるときがあり、また、これらの弱った小魚は姿勢を保つことが出来ず水面に体側が上下になって浮いているものが多い。
ところが、上記従来のルア−では弱った小魚とは姿勢が異なるため、このようなルア−で弱った小魚を表現して魚を誘おうとしても不自然であり、上手な誘いをすることが困難であった。
【０００３】
さらに、特許文献１のように弱った魚の動きをするようにしたルア−が提案されている。
このルア−は、先端から後端に向かう線が捩れており、全体が湾曲した形状のルア−で、後方が上を向いた状態で腹を下にして浮いて、ルア−を引っ張ることで回転しながら引っ張り方向の直角方向に搖れて泳ぐ様な動きをするようになっている。
ところが、後方が上を向いた状態で腹を下にして浮くのは死魚などの姿勢であり、また、弱った魚はあまり回転しながら泳ぐことがないので、このようなルア−は弱った魚の動きとしては不自然であった。
弱ったり、抱卵などで本来の動きが出来なくなった魚は、側面（体側）を上にして水面に浮き、微動を繰り返すことが多い。
【特許文献１】特開２０００−２１７４７０号公報
【発明の開示】
【発明が解決しようとする課題】
【０００４】
解決しようとする問題点は、特許文献１のように先端から後端に向かう線が捩れており、全体が湾曲した形状のルア−で、後方が上を向いた状態で腹を下にして浮いて、ルア−を引っ張ることで回転しながら引っ張り方向の直角方向に搖れて泳ぐルア−では弱った魚の動きとして不自然であることである。
【０００５】
本発明の目的は前記欠点に鑑み、弱った小魚や抱卵などで本来の動きが出来なくなった魚に模したルア−を提供することである。
【課題を解決するための手段】
【０００６】
本発明の請求項１は、ルア−本体の側面に水の抵抗体を設けると共に、ルア−本体は、水の抵抗体を設けた側面が下方になるようにして水に浮くことを要旨とするものである。
本発明の請求項２は、ルア−本体は少なくとも水の抵抗体を設けた側面に目を有していることを要旨とするものである。
本発明の請求項３は、ルア−本体は水の抵抗体を設けた側面に釣り針が取り付けられていることを要旨とするものである。
本発明の請求項４は、ルア−本体は、分割した本体部材を接続部で可動状態で前後に接続して形成されていることを要旨とするものである。
本発明の請求項５は、複数の本体部材の接続部は、水面に浮いた状態で左右に屈曲するように接続されていることを要旨とするものである。
本発明の請求項６は、ルア−本体は、水の抵抗体を設けた側面を内側とする湾曲状に形成されていることを要旨とするものである。
本発明の請求項７は、ルア−本体は、長手方向の中央側を上方にして水に浮くことを要旨とするものである。
【発明の効果】
【０００７】
請求項１によると、側面を上にして水面に浮く状態で、水の抵抗体によってルア−を泳動させることができ、ルア−に弱ったり、抱卵などで本来の動きが出来なくなった魚に似せた動きをさせることが出来る。
また、側面が上下になって水面に浮いた状態となるため従来のルア−が底面を下に向けていたのに対し、より広い面を水底に向けることで水中の魚を誘う効果が大きい。
請求項２によると、魚は餌をとる場合、目を襲うことがあるため、側面に目を有し側面が上下になっていると目が水底に向くため魚を誘う効果が大きい。
請求項３によると、側面が上下になって水面に浮いた状態で釣り針が水底側に位置し魚の食いつき方向に釣り針が付けられているためルア−に食いついた魚が針掛かりしやすい。
請求項４によると、ルア−の動きが柔軟になって魚らしい動きをするようになる。
【０００８】
請求項５によると、ルア−本体の側面が下方になるようにして浮いて本体部材が左右に屈曲して動くため、従来のルア−が底面を下に向けていたのに対し、より広い面を下に向けて左右に（水面に沿う方向に）動くため魚を誘う効果が大きい。
請求項６によると、ルア−本体を水の抵抗体を設けた側面を内側とする湾曲状に形成することで、弱ったり、抱卵などで本来の動きが出来なくなった魚が側面（体側）を上にして水面に浮いた状態に近づけることができ、その動きも抵抗体によってルア−を泳動させることで演出できる。
請求項７によると、弱ったり、抱卵などで本来の動きが出来なくなった魚が側面（体側）を上にして水面に浮いた状態に近づけることができる。
【発明を実施するための最良の形態】
【０００９】
ルア−のルア−本体１は木材や合成樹脂で、頭部側の本体部材２と腹部側の本体部材３と尾部側の本体部材４に３分割されて形成され、本体部材２、３、４は夫々Ｕ字形に屈曲された上下２本２組の接続部５、５′、６、６′とピン軸７、８で可動状態で前後に接続形成されている。
頭部側の本体部材２では側面（体側）２ｃが上側で、側面（体側）２ｄと水の抵抗体１０が下側になって水に浮くように形成され、下側の側面（体側）２ｄに目１２が描かれると共に釣り針１５が止着されている。
【実施例１】
【００１０】
以下、図示の実施例によって本発明を説明すると、図１から図９は第１実施例で、図１は側面（体側）を上にして水面に浮いた状態のルア−の斜視図、図２は側面（体側）を上にして水面に浮いた状態のルア−の正面図、図３は釣り針を除いたルア−の底面側斜視図、図４はルア−の頭部側の本体部材の断面正面図、図５はルア−の腹部側の本体部材の断面正面図、図６はルア−の断面側面図、図７はルア−の側面図、図８はルア−の底面図、図９は２点鎖線で後側の本体部材が左右に振れたルア−の拡大底面図である。
【００１１】
本願のルア−は魚が側面（体側）を上にして水面に浮いた状態になるように模して形成され、ルア−本体１を水の抵抗体１０を設けた側面を内側として長手方向に湾曲状に形成することで、弱ったり、抱卵などで本来の動きが出来なくなった魚が側面（体側）を上にして水面に浮いた状態に近づけることができる。
ルア−本体１は水に対し浮力を有するように木材や合成樹脂で形成し、頭部側の本体部材２と腹部側の本体部材３と尾部側の本体部材４に３分割されて形成され、本体部材２、３、４は図６、図８のように夫々Ｕ字形に屈曲された上下２本２組の接続部５、５′、６、６′とピン軸７、８で可動状態で前後に接続形成されている。
【００１２】
頭部側の本体部材２の周囲は背部２ａと腹部２ｂとその間に設けた側面（体側）２ｃ、２ｄを有する。
図４の頭部側の本体部材２の断面正面図では、背部２ａ及び腹部２ｂの幅ｈは、側面（体側）２ｃ、２ｄの幅ｗより狭く（２ｃ、２ｄの幅ｗは背部２ａ及び腹部２ｂの幅ｈより広く）形成されている。
頭部側の本体部材２は図６のように前端に向けて先細りになり、周囲は先端に向けて集歛するように傾斜面が形成されている。
ルア−本体１が水中に入れられると、図１、図２のように頭部側の本体部材２では側面（体側）２ｃが上側（水面側）で、側面（体側）２ｄと水の抵抗体１０が下側（水底側）になって水に浮くように形成されている。
頭部側の本体部材２は水に浮いた状態で前端側が斜め下方を向き、その上側の側面（体側）２ｃが水に浸かると上側の側面２ｃは水面に対し前端に向けて下向き傾斜になり、水面への飛び出しが防止され安定した動きをする。
頭部側の本体部材２の側面（体側）２ｄの前側に板状の水の抵抗体１０が固定されている。
【００１３】
頭部側の本体部材２の前端にリング状の釣り糸の止着部１１が固定され、側面（体側）２ｃ、２ｄに目１２、１２が描かれたり、または合成樹脂やガラス等で別体に形成して止着して設けられている。
目は、正確に眼球を構成していなくても良く、目状に形成されているものを含む。
ルア−本体１の前端に釣り糸の止着部１１が設けられるとこれに取り付けた釣り糸が、ルア−本体１に絡みにくく、また接触しにくいため釣り糸の傷つきが防止される。
また、釣り糸の止着部１１は水の抵抗体１０より前端側に位置するため、水の抵抗体１０への絡みつきや接触による釣り糸の傷つきも防止される。
側面（体側）２ｄの目１２は水の抵抗体１０の前側に設けられているが、水の抵抗体１０はルア−本体１の頭部側の本体部材２から前方に向けて斜め外方に突出し目１２の上を通ってこれを覆うようにして目１２よりも前端側まで延設されている。
水の抵抗体１０は透光性を有し、前記のごとく目１２より前方に延設されているため下方から見ると抵抗体１０を透して目１２が見え、下方から近づく魚を誘うことができる。
頭部側の本体部材２の側面（体側）２ｄの水の抵抗体１０より後側にリング状の釣り針止着部１３が固定され、釣り針止着部１３には接続リング１４を介して釣り針１５が止着されている。
頭部側の本体部材２の後端は図４、図６のようにＶ字状に切り込まれ、切込み部２ｅと左右の背部２ａから腹部２ｂに向かう切り込面２ｆ、２ｇが形成され、切込み部２ｅの前側の上下に図６、図８のように接続部５、５′の夫々２脚の基部が固定されている。
【００１４】
腹部側の本体部材３は偏平の円柱形で、本体部材３の周囲は背部３ａと腹部３ｂと側面（体側）３ｃ、３ｄとする。
図５で腹部側の本体部材３の断面正面図は、背部３ａ及び腹部３ｂの幅Ｈは、側面（体側）３ｃ、３ｄの幅Ｗより狭く形成されている。
ルア−本体１が水中に入れられると、図１、図２のように腹部側の本体部材３では偏平の側面（体側）３ｃが上側、側面（体側）３ｄが下側になって浮くように形成されている。
腹部側の本体部材３の前端の背部３ａと腹部３ｂはＶ字形になるように削られて端面３ｅ、３ｆが形成されている。
端面３ｅと３ｆが交わる端の内側に偏平の側面（体側）３ｃから側面（体側）３ｄに抜ける貫通孔３ｇが穿設されてピン軸７が固定されている。
腹部側の本体部材３の、頭部側の本体部材２に固定された接続部５、５′の位置に対応する上下に図６、図７のように穴３ｈ、３ｈが穿設されて接続部５、５′のＵ字部分が挿入されてピン軸７で可動状態で抜け止めされている。
腹部側の本体部材３の後端は図１、図３、図８のようにＶ字状に切り込まれ、切込み部３ｉと左右の背部３ａから腹部３ｂに向かう切り込面３ｊ、３ｋが形成され、図６のように切込み部３ｉの上下に接続部６、６′のＵ字部分が挿入される穴３ｍ、３ｍが穿設されている。
切込み部３ｉより前側に偏平の側面（体側）３ｃから側面（体側）３ｄに抜ける貫通孔３ｎが穿設されてピン軸８が固定されている。
【００１５】
尾部側の本体部材４は前側が偏平で後端が丸形の円錐形で、本体部材４の周囲は背部４ａと腹部４ｂと側面（体側）４ｃ、４ｄとする。
尾部側の本体部材４の前端は突出し、突出部４ｅから背部４ａと腹部４ｂに後向きのＶ字形になるように削られて側面４ｆ、４ｇが形成されている。
腹部側の本体部材３の後端切込み部３ｉの上下に穿設された穴３ｍ、３ｍに対応する尾部側の本体部材４の前端突出部４ｅ位置に図６、図８のように接続部６、６′の夫々２脚の基部が固定されている。
尾部側の本体部材４の側面（体側）４ｄにリング状の釣り針止着部１６が固定され、釣り針止着部１６には接続リング１７を介して釣り針１８が止着されている。
尾部側の本体部材４の後端面にリング状の止着部１９が固定され、止着部１９には接続リング２０を介して揺動体２１が止着されている。
【００１６】
ルア−本体１が水中に投入されると、図１、図２のように腹部側の本体部材３の偏平の側面（体側）３ｃが一番上側になってその両側が斜め下側（水底側）を向いて水面２２に浮くと共に、頭部側の本体部材２の側面（体側）２ｃと、尾部側の本体部材４の側面（体側）４ｃが上側（水面側）になって浮き、頭部側の本体部材２の側面（体側）２ｄと水の抵抗体１０と釣り針１５が下側（水底側）になると共に、腹部側の本体部材３の側面（体側）３ｄと尾部側の本体部材４の側面（体側）４ｄと釣り針１８が下側（水底側）になる。
釣り糸の止着部１１に止着された釣り糸２３が引かれると、水の抵抗体１０に水が当たるとその抵抗で頭部側の本体部材２が釣り糸２３が引かれる方向の左右に振られるようにして動き、図９のように頭部側の本体部材２のピン軸７を中心に腹部側の本体部材３と尾部側の本体部材４が左右に振られる。
更に腹部側の本体部材３のピン軸８を中心に尾部側の本体部材４が左右に振られる。
よって側面２ｃ、３ｃ、４ｃを上にして水面２２に側面３ｃが浮く状態で、水の抵抗体１０によってルア−を泳動させることができ、ルア−に弱ったり、抱卵などで本来の動きが出来なくなった魚に似せた動きをさせることが出来る。
本来魚は、尾を左右（体側方向）に振って動き、尾を上下に振るように屈曲するいわゆるドルフィンキックの動きはしないが、本願のルア−では側面を上下にして浮くため水面に沿って尾を左右に振ることになり水中から見上げた場合に動きが大きく見え、水中の魚を効果的に誘うために意図的にこのような動きをするようにしている。
また、釣り糸２３を連続して引くのではなく、間隔を置いて小刻みに引くことでルアーをあまり移動させずに微動させて魚を誘うことも可能である。
【００１７】
このルアーは長手方向に湾曲状に形成されてルアー後端側の下側側に水の抵抗がかかりルアーの動きを阻害することになるが、本体部材を分割して接続部で可動状態で前後に接続しているため、頭部側の本体部材２の動きに対し、腹部側の本体部材３と尾部側の本体部材４の動きが分断しているため、湾曲状に形成されたルアーでも頭部側の本体部材２の動きを良好にできる。
また、水の抵抗体１０を設けた側面に釣り針１５、１８が取り付けられているため、釣り針１５、１８が下側（水底側）になり、下方から食いつく魚の針掛かりがよい。
【実施例２】
【００１８】
図１０、図１１は第２実施例で、図１０は側面（体側）を上にして水面に浮いた状態のルア−斜視図、図１１は釣り針を除いたルア−の底面斜視図である。
【００１９】
第２実施例のルア−の腹部側の本体部材３の後端はＶ字状に切り込まれて後側に突出し、突出部３ｏの左右に背部３ａと腹部３ｂに向かう切り込面３ｐ、３ｑが形成され、突出部３ｏの上下に接続部６、６′のＵ字部分が挿入される前記第１実施例と同様に穴３ｍ、３ｍが穿設されている。
突出部３ｏより前側に偏平の側面（体側）３ｃから側面（体側）３ｄに抜ける貫通孔３ｎが穿設されてピン軸８が固定されている。
【００２０】
尾部側の本体部材４は前側が偏平で後端が丸形で、の円錐形で、本体部材４の周囲は背部４ａと腹部４ｂと側面（体側）４ｃ、４ｄとする。
尾部側の本体部材４の前端には切込み部４ｈで背部４ａと腹部４ｂに向けてＶ字形になるように削られて側面４ｉ、４ｊが形成されている。
腹部側の本体部材３の後端突出部３ｏの上下に穿設された前記第１実施例と同じ穴３ｍ、３ｍに対応する尾部側の本体部材４の前端切込み部ｈ位置に接続部６、６′の夫々２脚の基部が固定されている。
他の構成は前記第１実施例と略同一である。
【００２１】
ルア−本体１が水中に入れられると、尾部側の本体部材４の前端に切込み部４ｈが形成されているので、尾部側の本体部材４は前記第１実施例の突出部の場合より切込み部４ｈの水の抵抗が大きくなるため本体部材４の動きが良好になる。
【産業上の利用可能性】
【００２２】
本発明はルア−全般に利用できる。
【図面の簡単な説明】
【００２３】
【図１】第１実施例で、側面（体側）を上にして水面に浮いた状態のルア−の斜視図である。
【図２】同側面（体側）を上にして水面に浮いた状態のルア−の正面図である。
【図３】同釣り針を除いたルア−の底面側斜視図である。
【図４】同ルア−の頭部側の本体部材の断面正面図である。
【図５】同ルア−の腹部側の本体部材の断面正面図である。
【図６】同ルア−の断面側面図である。
【図７】同ルア−の側面図である。
【図８】同ルア−の底面図である。
【図９】同２点鎖線で後側の本体部材が左右に振れたルア−の拡大底面図である。
【図１０】第２実施例で、側面（体側）を上にして水面に浮いた状態のルア−の斜視図である。
【図１１】同釣り針を除いたルア−の底面側斜視図である。
【符号の説明】
【００２４】
１  ルア−本体
２、３、４  本体部材
２ｃ、２ｄ、３ｃ、３ｄ、４ｃ、４ｄ  側面（体側）
５、５′、６、６′  接続部
１０  抵抗体
１２  目
１５、１８  釣り針
【図１】
2006006199.tif 000003
【図２】
2006006199.tif 000004
【図３】
2006006199.tif 000005
【図４】
2006006199.tif 000006
【図５】
2006006199.tif 000007
【図６】
2006006199.tif 000008
【図７】
2006006199.tif 000009
【図８】
2006006199.tif 000010
【図９】
2006006199.tif 000011
【図１０】
2006006199.tif 000012
【図１１】
2006006199.tif 000013